(57)【要約】【課題】眼球部の加温手段、微振動付与手段等を備えたアイマスクにおいて、使用者の瞼や頬の凹凸等に違いがあっても、眼球部やその周辺に、熱温、微振動等が均一に付与されるようにする。【解決手段】眼覆部材２の眼球部に対応する位置に、ゲル状物質１２を充填した接眼パッド３，３が設けられている。眼覆部材２の裏面部には断熱シート７を介して加温部材８が設けられており、接眼パッド３．３には磁性体１４が装填されている。また眼覆部材２には微振動発生手段となる振動モータ５が設けられている。加温部材８の熱温及び振動モータ５で発生した微振動は、接眼パッド３．３内のゲル状物質１２を介して使用者の眼球部及びその周辺部に均一に伝播される。【選択図】  図１
2004350803.tif 000002
【特許請求の範囲】
【請求項１】
眼覆部材の少なくとも眼球部に対応する位置に、ゲル状物質を充填した接眼パッドを設けると共に、
前記眼覆部材に、前記接眼パッドを介して眼球部を暖める加温部材を設けたことを特徴とするアイマスク。
【請求項２】
眼覆部材の少なくとも眼球部に対応する位置に、液体を充填した接眼パッドを設けると共に、
前記眼覆部材に、前記接眼パッドを介して眼球部を暖める加温部材を設けたことを特徴とするアイマスク。
【請求項３】
前記眼覆部材に、前記接眼パッドを介して眼球部に微振動を付与する微振動発生手段を設けたことを特徴とする請求項１又は請求項２に記載のアイマスク。
【請求項４】
前記接眼パッドに磁性体を装填したことを特徴とする請求項１、請求項２又は請求項３に記載のアイマスク。
【請求項５】
加温された眼球部の角膜形状を矯正するための治具であって、
電源部を収納するケーシング本体に、発熱手段を内蔵するロッド部を設け、該ロッド部の先端部に矯正目的に応じた形状の角膜押圧ヘッド部を設けたことを特徴とする視力矯正治具。
【請求項６】
加温された眼球部の角膜部を急冷して角膜形状を矯正するための治具であって、
冷却液を充填するシリンジ部と、該冷却液を押し出すピストン部を有しており、
前記シリンジ部の先端部に、前記角膜周辺部と対応する位置へ前記冷却液をリング状に噴出する冷却液噴出ノズルを設けたことを特徴とする視力矯正治具。
【請求項７】
加温された眼球部の角膜形状を矯正するための治具であって、
眼球の角膜に被せるキャップ状の角膜吸引部材と、
前記角膜吸引部材により前記角膜を前方に吸引するための真空吸引手段と、
前記角膜吸引部材の角膜方向に進退可能に設けられ、前記角膜を押圧変形するための角膜押圧成形部材と、
変形した角膜を冷却するための角膜冷却手段、
とを備えており、
前記角膜押圧成形部材のヘッド部を、偏心三日月形の断面形状にしたことを特徴とする視力矯正治具。
【発明の詳細な説明】
【０００１】
【発明の属する技術分野】
本発明は、視力回復や眼精疲労回復等に優れた機能を有し、催眠効果やストレス解消効果も有するアイマスクと、そのアイマスクと併用して視力矯正治療を行なうための治具に関するものである。
【０００２】
【従来の技術】
眼精疲労回復を目的とした各種商品が市販されている。たとえば、使い捨ての眼帯状の加温パッドや冷熱パッド等が知られているが、これらは使用持続時間が短時間で、効果も一時的なものである。このようなことから、本発明者は先にコンパクトで眼精疲労回復効果、眼機能回復効果、視力矯正治療効果、催眠効果等に優れたアイマスクを提案した（特許文献１）。
【０００３】
このアイマスクは、眼覆部材の眼球部に対応する位置に磁性体入りの接眼パッドを設けるとともに、この接眼パッドに磁性体や微振動発生手段を設け、眼覆部材に加温部材を設けることにより、眼球部を適温で加温し、磁力や微振動を付与するようにしたものである。このアイマスクにおける接眼パッドは、スポンジや軟質プラスチック等の弾性体で造られているが、使用者の瞼や頬の凹凸等の相違によっては、接眼パッドが使用者の眼球部やその周辺部に密着せず、その部位に微振動、加温熱等が均一に付与されないという事態が起こり得る。また、接眼パッドが長時間、不自然な状態で瞼や頬に当たっていると、その接触部に苦痛が生じるという問題がある。
一方、本発明者は近視、遠視、乱視等の治療法として、上記アイマスク等により角膜を加温軟化させた後、症状に応じて角膜を強制的に変形させ、その後、変形した角膜がスプリングバックにより元の形状に戻らないように角膜を急冷する画期的な視力矯正法とその視力矯正法を実現するための各種装置を提案した（特許文献２）。しかしながら、これら視力矯正装置は、患者に適した多種類のＲ曲面を有する角膜押圧部材を用意しなければならないという不都合がある。
【０００４】
【特許文献１】
特開２００３−９３４３１号公報
【特許文献２】
特開２００３−１３５５１１号公報
【０００５】
【発明が解決しようとする課題】
本発明の解決しようとする課題は、眼球部の加温手段、微振動付与手段等を備えたアイマスクにおいて、使用者の瞼や頬等の凹凸等に違いがあっても、眼球部やその周辺に、熱温、微振動等が均一に付与されるようなアイマスクを提供することである。
【０００６】
また本発明は、睡眠時間等を利用して長時間の処置治療を可能とし、眼精疲労、眼球機能等を根本的に回復または修復することができるアイマスクを提供することである。
【０００７】
また本発明は、構成を簡素化し安価に量産することができ、取り扱いも簡単なアイマスクを提供することである。
【０００８】
さらにまた本発明は、上記アイマスク等で加温軟化した角膜を適正形状に矯正するための治具であって、多様な異常角膜形状を、様々な形状の角膜押圧部材を用意しなくとも簡易に矯正することができ、構成も簡単で安価に製造できる視力矯正治具を提供することである。
【０００９】
【課題を解決するための手段】
上述した課題を解決するために採用した本発明の手段は、眼覆部材の少なくとも眼球部に対応する位置に、ゲル状物質を充填した接眼パッドを設けると共に、前記眼覆部材に、前記接眼パッドを介して眼球部を暖める加温部部材及び／又は眼球部に微振動を付与する微振動発生装置を設けることである。このようにすることにより、接眼パッドは不定形性で適度の弾性力を有しているため、使用者の目鼻等の形に倣って適当な圧力で眼球部及びその周辺に密着すると共に、加温部材や微振動発生手段で生じた温熱や微振動は、接眼パッド内部に充填されたゲル状物質の全体に均一に伝播し、眼球部やその周辺に均一に温熱や微振動を付与することができる。
【００１０】
本発明の１つの実施形態によれば、前記接眼パッドは、天然又は合成ゴムや軟質合成樹脂等で造られた柔軟性を有する袋状外被膜の内部に、ゲル状物質を充填することにより構成されている。ゲル状物質は特に限定されるものではないが、熱伝導性、微振動伝導性、保温性、保冷却性に優れ、しかも人体に無害な材質から選択される。例えばゼラチン、各種澱粉質、コンスターチ、こんにゃく、吸水性ポリマー、その他、天然又は合成の半流体物質であり、これに必要により各種植物油、鉱物油、グリース油脂類を適度に加えて希釈化したり、殺菌剤、各種調整剤等の液体を添加することができる。これらゲル状物質は、常温でも眼球部の冷却機能を有しており、必要であれば冷蔵庫等で冷やした接眼パッドを眼覆部材に取り付けて使用してもよい。
【００１１】
また、本発明では前記ゲル状物質に代えて、このゲル状物質よりも熱伝導性や微振動伝導性は劣るものの、水道水、生理食塩水等の液体や、軽量の粒状物を多数充填することもできる。液体の場合、接眼パッドの袋状外被膜の内部に水道水や生理食塩水等を５％〜２０％圧力封入すると、上述した柔軟性を有する袋状外被膜は少し膨れて固くなる。これにより鼻や目の凹凸に倣って密着し、微振動や温熱をよく伝播するものである。
【００１２】
さらに、粒状物としては発泡体粒状物や食品の米、雑穀類、塩、砂等の単体又は混合物を使用することができ、これらを布、皮革、各種合成質の袋状外被膜の中に充填する。なお、これら粒状物を充填した接眼パッドは、ゲル状物質の接眼パッドに比較すればやや硬いため、所定形状の接眼パッドを眼球部に押し当てた状態で角膜を加温軟化させると、接眼パッドの形状に倣って角膜形状が自然に矯正することになる。
【００１３】
前記眼覆部材は、眼球部を覆うことができるものであれば形状、素材等は任意であり、たとえばゴーグル形状、眼鏡形状、眼帯形状、眼用粘着シート形状等とすることができ、また金属、非金属、合成ゴム、合成樹脂、木竹材、複合紙、化学合成繊維、皮革、ガラス、陶器、陶磁器等の材質で形成加工することができる。なお、眼球部とは、眼球部分とその周辺部を含んでいる。
【００１４】
また、本発明では前記接眼パッドの内部に磁性体を挿入することができる。この磁性体は特に限定されるものではないが、フェライト永久磁石、希土類永久磁石、超伝導物質のニホウ化マグネシウム永久磁石等であり、これらを丸状、棒状、板状、リング状、線状、粒状等の様々な形状に加工して前記接眼パッド等に挿入する。例えば袋状外被膜の内面側に薄板状の磁性体を１個または多数個貼着してもよいし、粒子状の磁性体をゲル状物質の内部に混入してもよい。磁性体の磁力は、目的により好ましい磁力を選定することができ、たとえば数ｍＴ〜１８０ｍＴである。
【００１５】
上述した磁性体の磁気作用は、眼精疲労回復、眼機能回復、各種眼病治療等にきわめて有効であり、特に、眼球部に長期間、所定強度の磁気を与えることにより、近視、遠視、乱視等が自然に治癒又は改善され、さらには角膜症、白内障、緑内障、眼筋麻痺、網膜症等の眼病治療にも有効である。
【００１６】
その生体メカニズムは定かでないが、眼球部を構成する水晶体や、その水晶体の膨らみを調節する毛様体（毛様小帯）、角膜等の各部位が、細胞レベルで磁気的影響を受け、各部位本来の生体機能が回復するものと思われる。これと同時に、眼細胞に連なる神経繊維の機能回復、眼球周辺の毛細血管の拡張による血流の増大効果、筋肉と神経繊維の緊張緩和と弛緩、細胞の活性化等により、眼精疲労が回復し、眼機能が向上する。
【００１７】
前記眼覆部材には、前記接眼パッドを介して眼球及び眼球周辺部を暖めるための加温部材が設けられている。加温部材としては、たとえば３８℃〜４２℃程度の温度で発熱する装置であり、１つの実施形態として、導電性高分子材料を前記接眼パッドの表面に直接塗布するか、または接眼パッドと眼覆部材の間に配置する断熱シートの表面に塗布し、これら導電性高分子材料の塗布面に通電することにより接眼パッドを加熱することができる。導電性高分子材料の具体例として、透明で導電性を有する酸化インジウムのナノ粒子と、導電性高分子ポリビロールをナノレベルで複合化した材質が使用される。この材質は、従来のように塗布後に加熱処理する必要がなく、透明であるという特性を有している。
【００１８】
前記加熱部材の別の例としては、ニクロム線によるプリント配線、シーズヒータ、電子発熱式ヒータ、自家発熱する粉末状の発熱体、小型の遠赤外線発熱発生装置、さらにはモジュール合金による電位差によって発熱または冷却する機能を利用し、加温・冷却する装置等を使用することができる。
【００１９】
上述のような加温部材により眼球部を加温することにより、ドライアイの最大原因である瞼にあるマイホーム線の詰まりが解消して涙の層が回復し、涙が正常に分泌する。また、体細胞筋肉、神経骨髄の緊張が弛み、血行気血の流れが改善され、血液循環がよくなる。さらに、前記磁気力効果と相乗して、眼球部に蓄積した老廃物、うっ血、コレステロール、乳酸、ＣＯ２、活性酸素等の疲労物質が消滅し、体細胞筋肉、神経骨髄等のコリ充血がなくなり、細胞組織が潤沢に活性化する。
【００２０】
また、血液は酸性からアルカリ性に変わり、新陳代謝が旺盛となり、自然治癒力が回復向上し、必然的に視力が正常化する。さらに、加温部材による温熱効果は、近視、遠視、乱視の角膜を暖めることにより、緊張が弛み、細胞が膨張し、軟化する。
【００２１】
前記眼覆部材には、バイブレータ等の微振動発生手段を設けることができる。この微振動発生手段により、前記接眼パッドを介して眼球部に微振動を与えることによって、眼球及びその周辺部の細胞組織、神経、血流等に刺激を与え、上述した磁気効果、加温効果、角膜矯正効果がさらに増大することになる。また角膜の軟化効果が増大することになる。
【００２２】
また、前記眼覆部材には、必要に応じて発光体点滅装置を設けることができる。発光体とは、たとえば豆電球や発光ダイオード等であり、これら発光体の照度、点滅スピード等を最適に調整し、発光体を一定間隔で点滅することにより、催眠効果と精紳安定効果を誘発することができる。また眼球、網膜神経等に適度の光による刺激を与え、眼機能等を改善することができる。
【００２３】
前記発光体は、たとえば４原色（赤、青、黄色、緑）に着色し、または着色フィルタを配置することにより、配色の変化を調整することができる。これにより、眼識力の改善強化、色弱、色盲の治療改善を図ることができる。
【００２４】
前記眼覆部材には、不眠症や精神的ストレス等の解消を目的として、催眠効果または精神安定効果のある芳香材を設けてもよく、さらには防遮音用の耳栓、携帯用の音楽再生装置、ラジオ等をたとえばオプションとして設けるようにしてもよい。
【００２５】
なお、本発明では上記眼覆部材と接眼パッドを大型化し、顔面全体を覆うような構成とすることにより、顔面全体の血行促進、皮膚や筋肉疲労回復、シミ、皺等の改善等を図ることができる。
【００２６】
一方、上記アイマスクにより眼球部を加温し、軟化した角膜を矯正する治具は、電源部を収納するケーシング本体に、発熱手段を内蔵するロッド部を設け、該ロッド部の先端部に矯正目的に応じた形状の角膜押圧ヘッド部を設けたことを特徴とする。この角膜押圧ヘッド部の形状は、特に限定されるものではないが、Ｒ面形状、ヘラ形状、球形状等、必要に応じた形状とすることができる。これにより、加温軟化した角膜を部分的に押圧して、治療目的に応じた形状に自在に矯正することができる。
【００２７】
また、加温された眼球部の角膜部を急冷して角膜形状を矯正する治具は、冷却液を充填するシリンジ部と、該冷却液を押し出すピストン部とを有し、前記シリンジ部の先端部に、前記角膜周辺部と対応する位置に前記冷却液をリング状に噴出する冷却液噴出ノズルを設けたことを特徴とする。この噴出ノズルから噴出した冷却液により、加温軟化した角膜周辺部を急冷し、角膜を前方に押出すことにより遠視等の矯正治療ができる。
【００２８】
さらに、加温された眼球部の角膜形状を矯正するための治具としては、眼球の角膜に被せるキャップ状の角膜吸引部材と、前記角膜吸引部材により前記角膜を前方に吸引するための真空吸引手段と、前記角膜吸引部材の角膜方向に進退可能に設けられ角膜を押圧変形するための角膜押圧成形部材と、変形した角膜を冷却するための角膜冷却手段とを備え、前記角膜押圧成形部材のヘッド部を、断面形状が偏心三日月形にした構成となっている。これにより加熱軟化した角膜を前方に吸引しながら、角膜を下が膨らんだ三日月形に矯正し、遠近両用に適した角膜形状とすることができる。
【００２９】
【発明の実施の形態】
以下、本発明の実施形態を添付図面に基づいて説明する。図１乃至図４は、本発明のアイマスクの実施形態を示しており、これら図面に示すようにアイマスク１は、全体がゴーフル形状の眼覆部材２と、円盤状に膨らんだ左右の接眼パッド３，３を備えている。
【００３０】
眼覆部材２は、断熱性、保温性に優れ、耐水性、防水性を有する材質や、そのような特性を有する表面処理を施した材質が使用される。例えば各種金属、非金属、合成ゴム、合成樹脂、木竹材、複合紙、化学合成繊維、皮革、ガラス、陶器、陶磁器等の材質で形成加工される。この眼覆部材２の外面側の中央部には、図２に示すように振動モータ収納部４が形成され、その内部に微振動発生手段となる小型振動モータ５が装着されている。また眼覆部材２の両端部には締め付けバンドの取り付け穴６が形成され、この取り付け穴６に、ヘッド部への締め付けバンド（図示せず）が連結される。なお、この締め付けバンドに代えて眼鏡のツルのような装着部材を設けてもよい。
【００３１】
この振動モータ５は、ＡＶ／ＤＣ共用モータを用いることができ、治療目的等に応じて複数設けるようにしてもよい。また図示しないが、振動モータ５の振動の強弱をコントロールしたり、後述する加温部材８の温度コントローラと連動させて振動の強弱をコントロールする制御装置が設けられている。
【００３２】
前記眼覆部材２の裏面側には、断熱シート７が接着等により固定されており、この断熱シート７に加温部材８が装着されている。断熱シート７は、加温部材８の発熱が眼覆部材２に伝熱しないようにするためのものであり、そのための材質は特に限定されず、ガラス綿等の無機質材、発泡合成樹脂質、コルク質、合成紙等の有機質材が使用される。医療用には高級なセラミックファイバを使用することもできる。
【００３３】
前記接眼パッド３，３は、図１に示すように、ここでは左右接眼パッド３，３が連結部３ａにより連結された一体構成となっており、両面接着シート、簡易脱着シート等の止着部材１０により前記加温部材８に脱着可能に止着されている。左右接眼パッド３，３は連結部３ａで連結しないで別々に設けてもよい。
【００３４】
この接眼パッド３，３は、図２及び図３に示すようにゴム材や軟質合成樹脂等の柔軟性を有する袋状外被膜１１の内部に、ゼラチン質、澱粉質等のゲル状物質１２が充填されている。なお、連結部３ａには前記ゲル状物質１２を充填してもよいが、密封シールしておいてもよい。
【００３５】
前記接眼パッド３，３の内部には、複数個の磁性体１４が挿入されている。ここで磁性体１４は円盤形であり、眼球部に対応する位置に数個ずつ接着等で固定されている。
【００３６】
前記加温部材８は、ここではニクロム線をプリント配線した発熱シートや、プレート状のシーズヒータ等であり、温度制御部１３により所定温度で発熱するように制御し、一定温度以上になった場合は、安全のため電流が自動的に遮断されるようになっている。加温部材８は、必要により電子発熱用セラミックを設け、急ぎの場合には電子レンジ等のマイクロウエーブで照射発熱させ、接眼パッド３，３を急速加温してもよい。
【００３７】
上述したアイマスク１を使用するときは、加温部材８に接眼パッド３，３を止着部材１０により止着した後、接眼パッド３，３を両眼瞼に当てるようにして眼覆部材２を被せ、図示しない締め付けバンドで頭に適度の圧力で固定する。これにより、接眼パッド３，３は適度の圧力で眼球部に接触する。
【００３８】
この状態で加温部材８と振動モータ５の電源スイッチ（図示せず）をＯＮにすれば、加熱部材８の熱温と振動モータ５の微振動が、接眼パッド３，３のゲル状物質１２を効率よく伝播して使用者の眼球部に均一に付与される。また磁性体１４により所定の磁力が付与される。
【００３９】
このようにして所定時間、眼球部を加温し、微振動や磁力を付与することで、角膜を軟化させることができ、また上述のように眼精疲労等を回復することができる。さらに軽度の近視、遠視等であれば、アイマスク１による眼球部の温熱効果、微振動効果、磁力効果が相俟って視力回復を図ることができる。
【００４０】
なお、接眼パッド３，３は眼覆部材２から取り外すことができるため、医療機関等で使用するときは、該接眼パッド３，３だけを、別途、電熱器や蒸気滅菌器等の加熱装置で殺菌を兼ねた予備加温しておくこともできる。
【００４１】
次に、眼科医が患者の近視、遠視、乱視等の状況を診察し、屈折性の近視・遠視であるか軸性の近視・遠視であるか、また角膜は正常であるか、角膜が異常に前方に突出していないか、あるいは異常に奥に引っ込んでいないか等を診断して、角膜形状を矯正治療する必要があると判断した場合は、以下に述べるような視力矯正治具を使用して角膜形状を矯正する。
【００４２】
この角膜矯正治療は、前処置として上記アイマスク１等により眼球部を所定温度（３８℃〜４５℃）に加温し、微振動を付与してケラチン質の角膜を軟化させておく必要がある。その際、異常に硬化した角膜や、老化、肥厚した角膜では、補助的に小型ガスバーナや小型ヘアードライヤを使用し、または別の温風装置から送風された所定温度の温風を、極小ノズルから噴出させることにより、角膜の硬直部位を集中的に軟化してもよい。
【００４３】
まず図５に示す視力矯正治具は、把手部ケーシング本体２０と、このケーシング本体２０から延長するロッド部２１を備えており、ロッド部２１の先端にはＲ面に形成された角膜押圧ヘッド部２２を有している。角膜押圧ヘッド部２２を含むロッド部２１は、金属または非金属等の熱伝導性の材質であり、表面研磨して硬質クロム、金メッキ等の表面処理が施されている。また図６に示す視力矯正治具は、角膜押圧ヘッド部２２がヘラ状に形成されており、その他の構成は図５と同じである。
【００４４】
これら図５及び図６に示す視力矯正治具は、図８の断面図に示すように、ケーシング本体２０の内部に電源部となるバッテリ２３と温度制御部（図示せず）が収納され、ロッド部２１にニクロムヒータ、シーズヒータ、さらには上述した酸化インジウムと導電性高分子ポリビロールを複合化した導電性高分子材料の塗布材のような発熱手段２４が収納されている。そして、図示しないスイッチをＯＮにするとバッテリ２３から発熱手段２４に通電されて発熱手段２４が発熱し、角膜押圧ヘッド部２２が所定温度（３８℃〜４５℃）に加温されることになる。
【００４５】
また図７及び図９に示す視力矯正治具は、上述した発熱手段２４の別の例を示したものであり、バッテリ２３を収納し、温度制御部（図示せず）が内蔵された把手部ケーシング本体２０と、下端部に筒状部２１ａを有するロッド部２１とを備えており、これらは螺合部２７において連結され、ロッド部２１の先端には球状の角膜押圧ヘッド部２２が形成されている。ケーシング本体２０の内部には白熱球等の強力発熱電球２５が装着されるとともに、ロッド部筒状部２１ａの内部には集光レンズ２６が装着され、そのロッド部筒状部２１ａの内面は、黒鉛等の蓄熱材を塗布して熱吸収性を高めた熱光線吸収溝２８となっている。
【００４６】
図７及び図９の視力矯正治具によれば、図示しないスイッチをＯＮにすると、バッテリ２３から発熱電球２５に通電し、その発熱光が集光レンズ２６で集光されて熱光線吸収溝２８を所定温度に加熱し、その熱温が角膜押圧ヘッド部２２に伝熱することになる。また、螺合部２７を回転させてロッド部２１を前後方向に可動させることにより集光レンズ２６の焦点距離を調整し、角膜押圧ヘッド部２２の温度を微調整ることができる。
【００４７】
上記した各角膜押圧ヘッド部２２はロッド部２１に一体構成されているが、多種類形状の角膜押圧ヘッド部２２を準備しておき、治療に必要な形状の角膜押圧ヘッド部２２を螺合式、嵌め込み式等の脱着機構によりロッド部２１の先端部に脱着するようにしてもよい。
【００４８】
上述した図５から図９はハンドタイプの角膜矯正治具であり、眼科医が手に持って角膜を部分的に押圧矯正することができる。即ち、矯正に必要な角膜押圧ヘッド部２２を有する角膜矯正治具を使用し、その治具のスイッチをＯＮにして角膜押圧ヘッド部２２を所定温度に加温した後、ケーシング本体２０を持って上記アイマスクにより加温軟化した角膜の必要部位に角膜押圧ヘッド部２２を押し付け、角膜を治療目的に応じた所定形状に矯正する。その後、別途シリンジやスポイト等に吸入貯留している冷却液を角膜に注水し、角膜を急冷することにより矯正形状を固定化する。
【００４９】
なお、図５から図９の角膜矯正治具は、上記したような発熱機構で加温しなくとも、角膜押圧ヘッド部２２を含むロッド部２１を温蔵庫や温水等で予め加温し、スペアを用意して冷めたら取り替えて使用する方法もある。
【００５０】
図１０及び図１１は本発明の別形態の角膜矯正治具を示している。図１０の角膜矯正治具は、シリンジ部３０とピストン部３１を有しており、シリンジ部３０の先端部に多数の微小径ノズル管３２がリング状に配設された構成になっている。また図１１の角膜矯正治具は、同じくシリンジ部３０とピストン部３１を有しており、シリンジ部３０に導管３３を設けるとともに、導管３３の分岐部３３ａにリング管３４を設け、このリング管３４に倣って多数の微小径ノズル管３４ａを下向きに突設したものである。
【００５１】
上述した図１０及び図１１の角膜矯正治具は、シリンジ部３０の内部に生理食塩水等の冷却水を充填しておき、ピストン部３１を押して微小径ノズル管３２，３４ａから冷却水を所定の範囲でリング状に噴出することができる。このため加温軟化した角膜の特定部位の周囲を部分的に集中冷却し、角膜細胞組織を瞬時に収縮固化させる治療法に適している。
【００５２】
例えば近視角膜で、角膜が外側に凸状に突出している場合、紅彩外輪部周辺部分をリング状に集中的に冷却することで角膜が水晶体側に引き戻され、正常な角膜形状になる。また遠視角膜の偏平形状角膜を凸状にするため、紅彩外輪部周辺部分を図５から図９の角膜矯正治具等でリング状に加温した直後に、その部分を集中的に冷却することで偏平形状角膜は前方に押し出され、正常な角膜形状になる。なお、この角膜矯正治具は隅角緑内障の治療にも最適である。
【００５３】
図１２及び図１３は本発明のさらに別の実施形態を示す視力矯正治具である。この視力矯正装置は、Ｒ形状をしたキャップ状の角膜吸引部材４０と、この角膜吸引部材４０に挿入された角膜押圧成形部材４１から成っている。これら角膜吸引部材４０と角膜押圧成形部材４１の材質は、生体に無害な材質であれば任意であり、合成樹脂、ガラス、金属、非金属、等が使用される。
【００５４】
前記角膜吸引部材４０は、角膜６０に被せたとき、角膜表面との間に空間部４２が生じる形状となっており、この空間部４２を陰圧にして角膜６０を吸引する。その目的は、角膜６０を水晶体６１から引き離すとともに、角膜吸引部材４０を角膜６０に吸引固定し、前記角膜押圧成形部材４１が正確に角膜６０の目標位置を押圧できるようにするためである。
【００５５】
この角膜吸引部材４０にはエアー吸引口４３、角膜押圧成形部材挿入口４４及び点眼液注入口４５が設けられている。また角膜吸引部材４０には、ニクロムヒータ、モジュール合金、レーザ加熱、マイクロウエーブ加熱、温水循環加熱、等の発熱部材４６が設けられており、図示しない温度制御装置により角膜吸引部材４０を所定温度に加温できるようになっている。
【００５６】
前記角膜押圧成形部材挿入口４４には、角膜押圧成形部材４１が角膜方向（前後方向）にスライド可能に挿入されている。この角膜押圧成形部材４１は、ロッド部４７とヘッド部４８を有しており、これらの軸内部には冷却液注入路４９が開通されている。なお、上述と同じようにニクロムヒータ、モジュール合金等の発熱部材５０が埋入されており、図示しない温度制御装置により所定温度に加温できるようになっている。
【００５７】
ヘッド部４８は、偏心三日月状に湾曲した断面形状となっており、ロッド部４７の連結位置から下側が短い湾曲部、上側が長い湾曲部となっている。
【００５８】
前記角膜吸引部材４０のエアー吸引口４３には真空ポンプ等の真空吸引装置（図示せず）が接続されるとともに、角膜押圧成形部材４１の後端部にはシリンダー、給水ポンプ等の冷却液供給装置（図示せず）が接続される。冷却液は、ここでは涙塩分濃度と同程度の生理食塩水が使用される。なお、前記点眼液注入口２４は未使用時にキャップ等の密封栓５１で密封されている。
【００５９】
次に、図１２及び図１３の視力矯正装置による角膜矯正法を説明するが、ここで掲げる数値はいずれも例示であり、これに限定されるものではない。まず、上述したアイマスク等を使用して眼瞼を４０℃〜４２℃程度で１０分〜１５分間加温し、角膜６０を十分軟化させる。その間、視力矯正装置の角膜吸引部材４０と角膜押圧成形部材４１の発熱部材４６，５０を、各温度制御装置をＯＮにして４０℃〜４２℃程度に加熱しておく。また、冷却液もシリンダー等に充填し４℃〜９℃程度に冷却しておく。
【００６０】
角膜６０が十分に軟化した頃を見計らってアイマスクを取り外し、直ちに角膜６０に、加熱滅菌された角膜吸引部材４０を角膜押圧成形部材挿入口４４の部分を持って被せる。この場合、角膜吸引部材４０の角膜６０との接触面と、角膜６０の表面にゲル状の消毒点眼液を塗っておく。
【００６１】
角膜６０に角膜吸引部材４０を被せた後、真空吸引装置をＯＮにしてエアー吸引口４３から空間部４２のエアーを吸引すると、図１２に示すように角膜吸引部材４０が角膜６０を吸引し前方に膨出させるとともに、角膜吸引部材４０が角膜６０に固定される。これにより角膜６０と水晶体６１が近接しすぎているような場合でも、双方が引き離される。
【００６２】
この状態で６分〜８分程度保持し、必要により角膜吸引部材４０の発熱部材４６により角膜６０を再加熱し、角膜６０の柔軟性を維持する。その間、角膜６０の表面が乾燥すると角膜６０の柔軟性が低下するため、点眼液注入口４５の密封栓５１をはずし、スポイト等で０．５ｃｃ〜１．０ｃｃ程度の通常の消毒点眼液を角膜６０の表面に注入した後、直ちに密封栓５１で密封する。この場合、点眼液を４０℃〜４２℃程度に加温したものを注入することが必要である。この点眼液の注入は４分〜５分毎に行ない、角膜６０を常に湿潤状態にておくことも必要である。
【００６３】
点眼液の注入を終えた後、角膜押圧成形部材４１を前進させ、偏心三日月形のヘッド部４８で角膜６０を押圧し、ヘッド部４８の形状に倣って角膜形状を図１３のように下側が膨出した湾曲形状に矯正する。このとき、角膜押圧成形部材４１は徐々に数回に分けて２ｍｍ〜５ｍｍ程度押し込むようにするとよい。このため角膜押圧成形部材４１のロッド部４９に目盛り等を付しておけば、ヘッド部４８の押し込み量も正確となる。
【００６４】
角膜押圧成形部材４１により角膜６０を所定形状に矯正した後、発熱部材４６，５０をＯＦＦにし、直ちに角膜押圧成形部材４１の冷却液注入路４９を通してヘッド部４８から冷却液を５ｃｃ〜１０ｃｃ程度、角膜６０の中央部をめがけて注出する。これにより軟化した角膜６０の細胞組織が急激に冷却され、矯正された角膜形状が固定化されることは上述した通りである。
【００６５】
その後、真空吸引装置をＯＦＦにし、点眼液注入口４５の密封栓５１を開け、角膜吸引部材４０の空間部４２に外気を導入すると角膜吸引部材４０が角膜６０から離れる。この角膜吸引部材４０を角膜押圧成形部材挿入口４４の部分を持って取り外す。
【００６６】
以上の手順により、角膜６０を角膜押圧成形部材４１のヘッド部４８の形状に倣って矯正し、これで１回目の矯正治療が終わる。患者の視力検査を行ない、希望の視力に回復していないときは、数日後、２回目の矯正治療を行なう。２回目の治療では角膜吸引部材４０の位置を微調整することにより、角膜押圧成形部材４１のヘッド部４８による角膜６０の押圧部位を微調整することができる。なお、図１３に示した角膜６０の矯正形状は遠近両用に適している。
【００６７】
【発明の効果】
以上説明した本発明のアイマスクによれば、眼球部の加温部材、微振動付与手段等を備えたアイマスクにおいて、接眼パッドにゲル状物質又は液体を充填したことにより、使用者の瞼や頬等の凹凸等に違いがあっても、弾性状の接眼パッドがその凹凸に倣って密接に接触し、熱温、微振動等がゲル状物質又は液体を伝播して眼球部及びその周辺に均一に付与されることになる。また本発明のアイマスクは、睡眠時間等を利用して長時間の処置治療を可能とし、眼精疲労、眼球機能等を根本的に回復または修復することができる。しかも本発明のアイマスクは、構成を簡素化し安価に量産することができ、取り扱いも簡単である。
【００６８】
一方、本発明の視力矯正治具は、上記アイマスク等で加温軟化した角膜形状を矯正するに際し、多種類の角膜押圧部材を準備しなくとも、多様な異常角膜形状を簡易に矯正することができ、その治具も安価に製造できる、という効果がある。
【図面の簡単な説明】
【図１】本発明のアイマスクの実施形態を示す正面図である。
【図２】図１のＡ−Ａ線に沿う断面図である。
【図３】図１のＢ−Ｂ線に沿う断面図である。
【図４】図１のアイマスクにおいて接眼パッドを取り外した状態の正面図である。
【図５】本発明における角膜矯正治具の第１の実施態様を示し、（ａ）は正面図、（ｂ）は平面図である。
【図６】本発明における角膜矯正治具の第２の実施態様を示し、（ａ）は正面図、（ｂ）は平面図である。
【図７】本発明における角膜矯正治具の第３の実施態様を示し、（ａ）は正面図、（ｂ）は平面図である。
【図８】図５及び図６の角膜矯正治具の断面図である。
【図９】図７の角膜矯正治具の断面図である。
【図１０】本発明における角膜矯正治具の第４の実施態様を示し、（ａ）は正面図、（ｂ）は底面図、（ｃ）は断面図である。
【図１１】本発明の角膜矯正治具の、第５の実施態様を示し、（ａ）は正面図、（ｂ）は底面図、（ｃ）は断面図である。
【図１２】本発明の角膜矯正治具の、第６の実施形態を示した断面図である。
【図１３】図１２の角膜矯正治具により角膜を矯正治療する状態を示した断面図である。
【符号の説明】
１はアイマスク
２は眼覆部材
３は接眼パッド
５は振動モータ
７は断熱シート
８は加温部材
１１は袋状外被膜
１２はゲル状物質
１４は磁性体
２０はケーシング本体
２１はロッド部
２２は角膜押圧ヘッド部
２４は発熱手段
２５は発熱電球
２６は集光レンズ
２７は螺合部
２８は熱光線吸収溝
３０はシリンジ部
３１はピストン部
３２は微小径ノズル管
３３は導管
３４はリング管
４０は角膜吸引部材
４１は角膜押圧成形部材
４３はエアー吸引口
４６は発熱部材
４７はロッド部
４８はヘッド部
４９は冷却液注入路
６０は角膜
【図１】
2004350803.tif 000003
【図２】
2004350803.tif 000004
【図３】
2004350803.tif 000005
【図４】
2004350803.tif 000006
【図５】
2004350803.tif 000007
【図６】
2004350803.tif 000008
【図７】
2004350803.tif 000009
【図８】
2004350803.tif 000010
【図９】
2004350803.tif 000011
【図１０】
2004350803.tif 000012
【図１１】
2004350803.tif 000013
【図１２】
2004350803.tif 000014
【図１３】
2004350803.tif 000015